(57)【特許請求の範囲】
【請求項１】
ディスクカートリッジが挿入されるホルダと、
上記ディスクカートリッジの挿脱口方向に付勢されており、上記ホルダに挿入されるディスクカートリッジによって移動されるとともに、第１の係合凹部を有するスライダと、
ディスクカートリッジに設けられた第２の係合凹部と係合するように上記ホルダの内側に向かって形成された係合部が設けられ、上記スライダとともに移動可能に配設された弾性変位部材と、
上記ホルダの側壁の外側に設けられ、上記スライダがディスクカートリッジによって移動され、上記ディスクカートリッジが上記ホルダの挿入完了位置に到達したとき、上記弾性変位部材と対向し、上記ディスクカートリッジの上記第２の係合凹部に係合する上記係合部の上記第２の係合凹部からの離脱方向の移動を規制する規制部と、
上記規制部の外方側の側面に設けられた支軸に基端部側を支持され、当該支軸を中心に回動可能に取り付けられたロックレバーと、上記ロックレバーの上記ホルダの背面方向に延在する先端側に上記ホルダ内に突出し上記第１の係合凹部と係合可能なロックピンとからなるロック機構とを備え、
上記規制部によって上記係合部の上記第２の係合凹部からの離脱方向の移動が規制された状態で上記第１の係合凹部と上記ロックピンとが係合し、上記スライダをディスクカートリッジのホルダに対する挿入完了位置でロックすることを特徴とするディスクカートリッジのホルダ装置。
【請求項２】
ディスクカートリッジの上記ホルダへの挿入時において、上記スライダの上記係合部が上記ディスクカートリッジの上記第２の係合凹部に係合するとき、上記弾性変位部材は上記側壁と上記規制部との間の上記ホルダの一側が開放された位置に移動し、上記ディスクカートリッジが更に上記ホルダの内方に移動されたときに、上記弾性変位部材は上記規制部と対向する位置に移動することを特徴とする請求項１記載のディスクカートリッジのホルダ装置。
【発明の詳細な説明】
【０００１】
【発明の属する技術分野】
本発明は、ディスク記録及び／又は再生装置などに用いられるディスクカートリッジのホルダ装置に関する。
【０００２】
【従来の技術】
従来、ディスクカートリッジを記録媒体に用いるディスク記録及び／又は再生装置には、装置本体内に挿入されたディスクカートリッジを記録及び／又は再生位置に保持するホルダ装置が用いられている。
【０００３】
従来ディスク記録及び／又は再生装置に用いられているディスクカートリッジのホルダ装置は、装置本体に挿入されるディスクカートリッジを保持するホルダと、ホルダに挿入されたディスクカートリッジをホルダに対する挿入完了位置である記録及び／又は再生位置に保持するディスクカートリッジの保持機構と、ディスクカートリッジを装置本体からイジェクトする際にディスクカートリッジをホルダから排出する方向に付勢するカートリッジ排出機構を備えている。
【０００４】
ホルダに挿入されるディスクカートリッジは、ホルダに対する挿入完了位置まで挿入されると、保持機構によって挿入完了位置に保持される。ディスク記録及び／又は再生装置に装着されたディスクカートリッジをイジェクトする際には、装置本体に設けたイジェクト機構によって保持機構によるディスクカートリッジの保持が解除されるとともにカートリッジ排出機構が動作されてホルダの挿入完了位置に挿入完了位置に挿入されたディスクカートリッジのホルダからの排出が行われる。
【０００５】
【発明が解決しようとする課題】
ところで、従来のディスク記録及び／又は再生装置に用いられているディスクカートリッジのホルダ装置は、ホルダに挿入されたディスクカートリッジを保持する保持機構と、ホルダに挿入されたディスクカートリッジを排出する排出機構がそれぞれ独立に設けられている。更に、ホルダ装置は、保持機構によるディスクカートリッジの保持及び保持解除動作と排出機構によるディスクカートリッジの排出動作及び排出規制動作が関連して動作するように保持機構と排出機構を関連させる連動機構を備えている。
【０００６】
このように、従来のホルダ装置は、ディスクカートリッジの保持機構及び排出機構を独立の機構として設け、更にこれら保持機構及び排出機構の動作を関連させる連動機構を設けているため、機構が複雑であり、部品点数が増加してしまっている。
【０００７】
そこで、本発明の目的は、機構の簡素化を図りながら確実にディスクカートリッジの保持及び排出を行うことができるディスクカートリッジのホルダ装置を提供することにある。
【０００８】
本発明に他の目的は、部品点数の削減を図るとともに、装置自体の薄型化を図ることができるディスクカートリッジのホルダ装置を提供することにある。
【０００９】
【課題を解決するための手段】
上述したような目的を達成するために提案される本発明に係るディスクカートリッジのホルダ装置は、ディスクカートリッジが挿入されるホルダと、上記ディスクカートリッジの挿脱口方向に付勢されており、上記ホルダに挿入されるディスクカートリッジによって移動されるとともに、第１の係合凹部を有するスライダと、ディスクカートリッジに設けられた第２の係合凹部と係合するように上記ホルダの内側に向かって形成された係合部が設けられ、上記スライダとともに移動可能に配設された弾性変位部材と、上記ホルダの側壁の外側に設けられ、上記スライダがディスクカートリッジによって移動され、上記ディスクカートリッジが上記ホルダの挿入完了位置に到達したとき、上記弾性変位部材と対向し、上記ディスクカートリッジの上記第２の係合凹部に係合する上記係合部の上記第２の係合凹部からの離脱方向の移動を規制する規制部と、上記規制部の外方側の側面に設けられた支軸に基端部側を支持され、当該支軸を中心に回動可能に取り付けられたロックレバーと、上記ロックレバーの上記ホルダの背面方向に延在する先端側に上記ホルダ内に突出し上記第１の係合凹部と係合可能なロックピンとからなるロック機構とを備え、上記規制部によって上記係合部の上記第２の係合凹部からの離脱方向の移動が規制された状態で上記第１の係合凹部と上記ロックピンとが係合し、上記スライダをディスクカートリッジのホルダに対する挿入完了位置でロックする。
【００１０】
また、本発明に係るディスクカートリッジのホルダ装置は、ディスクカートリッジの上記ホルダへの挿入時において、上記スライダの上記係合部が上記ディスクカートリッジの上記第２の係合凹部に係合するとき、上記弾性変位部材は上記側壁と上記規制部との間の上記ホルダの一側が開放された位置に移動し、上記ディスクカートリッジが更に上記ホルダの内方に移動されたときに、上記弾性変位部材は上記規制部と対向する位置に移動するよう構成してもよい。
【００１２】
【発明の実施の形態】
以下、本発明に係るディスクカートリッジのホルダ装置を図面を参照して説明する。
【００１３】
本発明に係るディスクカートリッジのホルダ装置は、情報信号の記録媒体として光ディスクの如きディスクを収納したディスクカートリッジを保持するものである。
【００１４】
ここで本発明に係るホルダ装置に挿入保持されるディスクカートリッジ１を説明すると、このディスクカートリッジ１は、図１及び図２に示すように、一対の上下ハーフ２，３を突き合わせ係合した矩形状をなすカートリッジ本体４を備え、このカートリッジ本体４にディスク５を回転可能に収納している。カートリッジ本体４の上下面の相対向する位置には、カートリッジ本体４に収納したディスク５の少なくとも一部を内外周に亘って外方に臨ませる記録及び／又は再生用の開口部６，７が設けられている。これら開口部６，７は、図１及び図２に示すように、カートリッジ本体４の左右方向の中央部に位置して上下面の中央部近傍位置からカートリッジ本体４の前面側の近傍に亘って略矩形状に形成されている。カートリッジ本体４の下面側の中央部には、ディスク５をディスク記録及び／又は再生装置側に設けられるディスク回転駆動機構にクランプさせるためのディスク５の中心部に取り付けられたハブ８を外方に臨ませる円形の中央開口部９が設けられている。
【００１５】
カートリッジ本体４には、記録及び／又は再生用の開口部６，７を開閉するシャッタ部材１０が取り付けられている。シャッタ部材１０は、連結板１１の両側から相対向して一対のシャッタ板１２，１３を延長し、全体で略コ字状に形成されている。シャッタ部材１０は、図１及び図２に示すように、シャッタ板１２，１３を記録及び／又は再生用の開口部６，７上に延在されるようにしてカートリッジ本体４の前面側から嵌合されて取り付けられる。カートリッジ本体４に取り付けられたシャッタ部材１０は、カートリッジ本体４の前面側に沿って記録及び／又は再生用の開口部６，７を開閉する図１及び図２中矢印Ａ方向及び矢印Ｂ方向に移動する。シャッタ部材１０は、開口部６，７を閉塞する位置にあるとき、カートリッジ本体４内に設けられたシャッタロック部材によりロックされ閉塞位置に保持される。
【００１６】
カートリッジ本体４のシャッタ部材１０が取り付けられる前面側には、後述するようにホルダ装置側に設けられるシャッタ開放操作片が進入するシャッタ開放操作用溝部１４が設けられ、カートリッジ本体４の背面側には、シャッタ開放操作用溝部１４と平行に、ホルダ装置側に設けられる誤挿入防止片が係合する誤挿入防止溝部１５が設けられている。これら溝部１４，１５は、図１及び図２に示すように、カートリッジ本体４の前面に直交する一側面に臨む部分を開放端として形成されている。
【００１７】
このように構成されたディスクカートリッジ１は、シャッタ開放操作用溝部１４及び誤挿入防止溝部１５の開放端が臨む一側面側を挿入端として本発明に係るホルダ装置に挿入される。
【００１８】
また、カートリッジ本体４のホルダ装置への挿入端側となる一側面側の両側には、図２に示すように、ディスク記録及び／又は再生装置側に設けられるカートリッジローディング機構の一部やディスク交換機構の一部が係合するために用いられる係合凹部１６，１６が設けられている。これら係合凹部１６，１６は、カートリッジ本体４の上面側を閉塞し、下面側から前面側及び背面側に亘って形成されている。
【００１９】
本発明に係るディスクカートリッジのホルダ装置は、図３及び図４に示すように、上述したように構成されたディスクカートリッジ１が挿入保持されるホルダ２１を有する。このホルダ２１は、ディスクカートリッジ１の平面形状にほぼ対応する大きさの天板２２を有し、天板２２の相対向する両側にはディスクカートリッジ１のホルダ２１内への挿入をガイドする第１及び第２の側壁２３，２４が互いに平行に立ち上がり形成されている。ディスクカートリッジ１は、第１及び第２の側壁２３，２４間に挿入されてホルダ２１に保持される。
【００２０】
第１の側壁２３の下側縁側には、天板２２と平行となるように折り曲げられた第１のカートリッジ支持片２５が設けられている。カートリッジ支持片２５は、図３及び図４に示すように、ホルダ２１のディスクカートリッジ１の挿脱が行われるカートリッジ挿脱口２６側に位置して設けられている。第２の側壁２４の下側縁側には、図３及び図４に示すように、第２の側壁２４のほぼ全長に亘って天板２２と平行となるように折り曲げられた第２のカートリッジ支持片２７が設けられている。
【００２１】
ホルダ２１に挿入されるディスクカートリッジ１は、第１及び第２の側壁２３，２４により両側がガイドされ、第１及び第２のカートリッジ支持片２５，２７により下面側の両側が支持されてホルダ２１への挿脱が行われることにより、ホルダ２１に対する挿脱方向が規制され、ホルダ２１からの脱落が防止される。
【００２２】
ホルダ２１のカートリッジ挿脱口２６が構成された前面側に対向する背面側には、ホルダ２１に挿入されるディスクカートリッジ１の挿入端側の一側面に当接してディスクカートリッジ１のホルダ２１に対する挿入完了位置を規定する挿入規制壁２８が設けられている。
【００２３】
第１の側壁２３の内方側の側面の中途部には、図４に示すように、シャッタ開放操作片２９が突設されている。シャッタ開放操作片２９は、ホルダ２１に挿入されるディスクカートリッジ１に設けたシャッタ開放操作用溝部１４に進入し、シャッタロック部材を押圧操作してシャッタ部材１０のロックを解除するとともに、シャッタ部材１０をホルダ２１に挿入されるディスクカートリッジ１に対し相対移動させ、記録及び／又は再生用の開口部６，７を開放した位置に移動させる。
【００２４】
更に、第１の側壁２３には、図４に示すように、ホルダ２１の前面側であるカートリッジ挿脱口２６側に位置して、記録及び／又は再生用の開口部６，７を開放した位置に移動されたシャッタ部材１０に係合し、シャッタ部材１０の自由な移動を規制するシャッタ係止部材３０が設けられている。シャッタ係止部材３０は、弾変位可能な板バネにより形成され、先端側にシャッタ部材１０の連結板１１に穿設した係合孔１１ａに係合する係合部３０ａが設けられ、この係合部３０を第１の側壁２３に設けた切り欠き穴２５ａを介してホルダ２１の内方側に突出させるようにして第１の側壁２３の外方側の側面に取り付けられている。このシャッタ部材３０は、記録及び／又は再生用の開口部６，７を開放した位置に移動されたシャッタ部材１０に係合してシャッタ部材１０の自由な移動を規制することにより、ディスクカートリッジ１がホルダ２１から抜き取られるとき、シャッタ部材１０を記録及び／又は再生用の開口部６，７を閉塞する方向に相対移動させ、記録及び／又は再生用の開口部６，７を閉塞した位置に移動させる。
【００２５】
更にまた、第１の側壁２３のシャッタ開放操作片２９が設けられた内方側には、カートリッジ係合片３１が突設されている。カートリッジ係合片３１は、ホルダ２１に挿入されたディスクカートリッジ１のシャッタ開放操作用溝部１４に係合し、第１及び第２のカートリッジ支持片２５，２７とともにホルダ２１に挿入されたディスクカートリッジ１の支持を行う。
【００２６】
また、第２の側壁２４の内方側の側面には、ホルダ２１に挿入されるディスクカートリッジ１に設けた誤挿入防止溝部１５に係合する誤挿入防止片３２が設けられている。誤挿入防止片３２は、ディスクカートリッジ１が正規の挿入方向となる一側面に直交する前面側又は背面側からホルダ２１に挿入されたとき、ディスクカートリッジ１の一部に当接してディスクカートリッジ１を挿入完了位置に挿入されないように規制するものである。
【００２７】
第２の側壁２４には、ホルダ１に挿入されたディスクカートリッジ１を押圧支持するカートリッジ押圧部材３３が設けられている。カートリッジ押圧部材３３は、弾変位可能な板バネにより形成され、先端側にホルダ２１に挿入されたディスクカートリッジ１の側面を押圧する押圧部３３ａが設けられ、この押圧部３３ａを第２の側壁２４に設けた切り欠き穴２４ａを介してホルダ２１の内方側に突出させるようにして第２の側壁２４の外方側の側面に取り付けられている。
【００２８】
上述のように構成されたホルダ２１の第１の側壁２３側には、図３及び図４に示すように、ホルダ２１に挿入されるディスクカートリッジ１によって押圧され、ディスクカートリッジ１によって移動操作されるスライダ３５が配設されている。スライダ３５は、図５に示すように、ディスクカートリッジ１により押圧され若しくはディスクカートリッジ１を押圧する押圧操作部３６が設けられ、押圧操作部３６の基端部側に、この押圧操作部３６に直交するように第１の側壁２３に沿って移動するスライドガイド片３７が延長され、全体でほぼＬ字状に形成されている。スライドガイド片３７の一側縁側には、スライドガイド片３７に対し垂直に折り曲げられたスライドレバー３８が設けられている。スライドレバー３８は、長手方向を長径とした一対のスライドガイド孔３９，４０が穿設されている。
【００２９】
スライダ３５は、図６に示すように、押圧操作部３６がホルダ２１に挿入されるディスクカートリッジ１の挿入端側の一側面に対向するようにホルダ２１内に突出させ、第１の側壁２３に沿って移動可能に取り付けられる。すなわち、スライダ３５は、第１の側壁２３の外側面にスライドガイド片３７を沿わせ、押圧操作部３６を第１の側壁２３の内方側を切り欠いて形成した切り欠き部４１を介してホルダ２１内に突出させ、スライドレバー３８をホルダ２１の一側に突設したスライドガイド支持片４２上に載置し、スライドガイド支持片４２に突設した一対のスライドガイドピン４３，４４にスライドガイド孔３９，４０を係合させホルダ２１に取り付けられられる。このように、長孔として形成されたスライドガイド孔３９，４０をスライドガイドピン４３，４４に係合させてホルダ２１に取り付けられたスライダ３５は、スライドガイド孔３９，４０の範囲でディスクカートリッジ１のホルダ２１に対する挿脱方向である図６中矢印Ｃ方向及び矢印Ｄ方向に移動可能となされている。
【００３０】
ホルダ２１に移動可能に取り付けられたスライダ３５は、図３に示すように、スライダガイド片４２に植立したバネ係止ピン４５と第１の側壁２３の外側面に植立したバネ係止ピン４６との間に張設された付勢部材である引っ張りバネ４９により、図３及び図６中矢印Ｃ方向の押圧操作部３６がホルダ２１のカートリッジ挿脱口２６側に移動する方向に付勢されている。
【００３１】
上述のようにホルダ２１に移動可能に取り付けられたスライダ３５は、ホルダ２１に挿入されるディスクカートリッジ１のよって押圧操作部３６が押圧され、引っ張りバネ４９の付勢力に抗して図６中矢印Ｄ方向に移動される。
【００３２】
そして、スライダ３５には、ホルダ２１に挿入されるディスクカートリッジ１に設けられた係合凹部１６に係合する係合部となる係合部材４７が設けられた弾性変位部材４８が取り付けられている。弾性変位部材４８は、弾性変位可能な金属製の板バネによって形成されている。係合部材４７は、先端先細り状の突状体として形成され、弾性変位部材４８の先端側の一側面に取り付けられている。この係合部材４７は、合成樹脂材料を弾性変位部材４８にアウトサート成形して形成される。
【００３３】
なお、係合部材４７は、合成樹脂により形成したものを弾性変位部材４８に接着剤を用いて接合し、あるいは熱溶着に取り付けるようにしたものであってもよい。また、係合部材４７は、板バネにより形成された弾性変位部材４８の先端側の一部を円弧状に膨出させるようにして弾性変位部材４８と一体に形成したものであってもよい。
【００３４】
弾性変位部材４８は、先端側に取り付けた係合部材４７がスライダ３５の押圧操作部３６側に突出するようにして、基端部側をカシメ軸４９を用いてスライダ３５のスライドガイド片３７の外方側の側面に固定して取り付けられる。弾性変位部材４８は、スライダ３５が図４及び図６に示すようにホルダ２１に取り付けられることにより、先端側の係合部材４７をホルダ２１内に出没させる方向の図４及び図６中矢印Ｅ方向及び矢印Ｆ方向に弾性変位可能となされ、スライダ３５とともに移動可能にホルダ２１に配設される。
【００３５】
弾性変位部材４８が取り付けられたスライダ３５が取り付けられたホルダ２１には、ホルダ２１に挿入されたディスクカートリッジ１によってスライダ３５が移動され、ディスクカートリッジ１がホルダ２１に対する挿入完了位置である挿入端側の一側面をホルダ２１に設けた挿入規制壁２８に当接する位置若しくは近接した位置まで挿入されたとき、ディスクカートリッジ１に設けられた係合凹部１６に係合した係合部材４７が係合凹部１６からの離脱する方向の移動を規制する規制部となる規制壁５１が設けられている。規制壁５１は、図３及び図４に示すように、ホルダ２１の第１の側壁２３が設けられた一方の側の内方に位置して、第１の側壁２３と平行にホルダ２１の一部を立ち上がるように折り曲げて形成されている。この規制壁５１は、係合部材４７が取り付けられた弾性変位部材４８の先端側を支持することにより、弾性変位部材４８の図６中矢印Ｆ方向の弾性変位を規制し、係合部材４７のホルダ２１内からの離脱を防止する。
【００３６】
規制壁５１の外方側の側面には、スライダ３５がディスクカートリッジ１によって移動され、ディスクカートリッジ１のホルダ２１に対する挿入完了位置まで移動されたとき、スライダ３５をロックするロック機構５２が設けられている。このロック機構５２は、図３及び図７に示すように、規制壁５１の外方側の側面に植立された支軸５３に基端部側を支持され、この支軸５３を中心に回動可能に取り付けられたロックレバー５４を備える。ロックレバー５４は、ホルダ２１の背面方向に延在する先端側に、ホルダ２１の内方に突出し、スライダ３５のスライドガイド片３７の先端側に設けた係合凹部５５に係合するロックピン５６が植立されている。このロックレバー５４は、支軸５３に巻装されたねじりコイルバネ５７によりロックピン５６がスライダ３５の係合凹部５５に係合する方向の図７中矢印Ｇ方向に回動付勢されている。
【００３７】
ロックレバー５４を回動付勢するねじりコイルバネ５７は、コイル部を支軸５３に挿通し、一方のアーム部５７ａをスライダ３５に設けたバネ係止片５８に係止し、他方のアーム部５７ｂをロックレバー５４の一側に設けた回動操作片６０に係止させて取り付けられることにより、ロックレバー５４を図７中矢印Ｇ方向に回動付勢している。ロックレバー５４は、ロックピン５６が取り付けられた先端側の一側がスライダ３５に設けたバネ係止片５８に当接されることにより、ねじりコイルバネ５７にる図７中矢印Ｇ方向の回動付勢位置が規制されている。
【００３８】
スライダ３５に設けられるロックピン５６が係合する係合凹部５５は、図７に示すように、スライダ３５の天板２２側の上方側を開放して形成され、係合凹部５６が設けられたスライドガイド片３５の先端側には、ロックピン５６を押圧してロックレバー５４をねじりコイルバネ５７の付勢力に抗して図７中矢印Ｈ方向に回動させる回動操作部５９が設けられている。
【００３９】
また、ロックレバー５４のロックピン５６が設けられた先端側の一側には、ディスク記録及び／又は再生装置側に設けられるイジェクトレバー等によって押圧操作され、ロックレバー５４をねじりコイルバネ５７の付勢力に抗して図７中矢印Ｈ方向に回動させる回動操作片６０が設けられている。
【００４０】
上述のように構成されたホルダ装置に前述したディスクカートリッジ１を挿入保持させる状態を説明する。
【００４１】
ディスクカートリッジ１は、図６に示すように、シャッタ開放操作用溝部１４及び誤挿入防止溝部１５の開放端が臨む一側面側を挿入端としてカートリッジ挿脱口２６を介してホルダ２１内に挿入される。ディスクカートリッジ１がホルダ２１に挿入されると、シャッタ開放操作用溝部１４にシャッタ開放操作片２９が進入し、誤挿入防止溝部１５に誤挿入防止片３２が進入する。シャッタ開放操作片２９及び誤挿入防止片３２がそれぞれが進入した状態からディスクカートリッジ１を更にホルダ２１の内方の図６中矢印Ｋ方向に挿入すると、シャッタ係止部材３０の係合部３０ａがシャッタ部材１０の連結板１１に穿設した係合孔１１ａに係合し、シャッタ部材１０の自由な移動を規制する。シャッタ係止部材３０の移動が規制された状態から更にディスクカートリッジ１をホルダ１の内方の図６中矢印Ｋ方向に挿入すると、シャッタ開放操作片２９によりカートリッジ本体４内に設けたシャッタロック部材が押圧操作されてシャッタ部材１０のロックが解除され、シャッタ部材１０がカートリッジ本体４に対し相対移動可能な状態となる。
【００４２】
シャッタ部材１０がカートリッジ本体４に対し相対移動可能な状態から更にディスクカートリッジ１を図６中矢印Ｋ方向に挿入すると、シャッタ部材１０が記録及び／又は再生用の開口部６，７を開放する図６中矢印Ａ方向に移動される。シャッタ部材１０が開口部６，７を途中まで開放する図８に示す位置までディスクカートリッジ１がホルダ２１の内方に挿入されると、弾性変位部材４８の先端側に取り付けた係合部材４７がカートリッジ本体４の前面側に設けた係合凹部１６に係合する。係合部材４７が係合凹部１６に係合するとき、弾性変位部材４８は、第１の側壁２３と規制壁５１との間のホルダ２１の一側が開放された位置にあるので、係合部材４７がカートリッジ本体４の前面により押圧されることにより、ホルダ２１から離間する方向の図８中矢印Ｆ方向に弾性変位される。係合部材４７が係合凹部１６に対応する位置までディスクカートリッジ１が更にホルダ２１の内方に挿入されると、弾性変位されていた弾性変位部材４８が図８中矢印Ｅ方向に弾性復帰して係合部材４７を係合凹部１６に係合させる。
【００４３】
ディスクカートリッジ１は、係合凹部１６に係合部材４７が係合する位置までホルダ２１内に挿入されたとき、ホルダ２１の第２の側壁２４側に設けた押圧操作部３３により背面側が押圧され、第１の側壁２３側に押圧付勢される。ディスクカートリッジ１は、背面側が押圧操作部３３により押圧されることにより、係合凹部１６と係合部材４７との確実な相対係合が図られる。
【００４４】
そして、ディスクカートリッジ１が、係合凹部１６に係合部材４７を係合させた位置までホルダ２１内に挿入されると、図８に示すように、ディスクカートリッジ１の挿入端側の一側面がスライダ３５の押圧操作部３６に当接する。ディスクカートリッジ１の一側面が押圧操作部３６に当接された状態から更にディスクカートリッジ１が図８中矢印Ｋ方向に挿入されると、スライダ３５はディスクカートリッジ１に押圧されながら引っ張りバネ４９の付勢力に抗して、ディスクカートリッジ１とともにホルダ２１の内方の図８中矢印Ｄ方向に移動される。
【００４５】
スライダ３５がディスクカートリッジ１とともにホルダ２１の内方に移動されると、図７に示すように、ロックレバー５４の先端側に取り付けたロックピン５６がスライダ３５の先端側の回動操作部５９上に乗り上げていきねじりコイルバネ５７の付勢力に抗して支軸５５を中心にして図７中矢印Ｈ方向に回動させる。このとき、スライダ３５に取り付けられスライダ３５とともに移動する弾性変位部材４８の係合部材４７が取り付けられた先端側が、図９に示すように、規制壁５１に対向する位置に至り、弾性変位部材４８の図９中Ｆ方向の弾性変位が規制された状態となる。弾性変位部材４８のホルダ２１の外方に変位する図９中矢印Ｆ方向の弾性変位が規制されることにより、係合部材４７の係合凹部１６からの離脱が規制される。
【００４６】
そして、ディスクカートリッジ１が、図７及び図９に示す状態から更にホルダ２１の内方に挿入され、ホルダ２１に対する挿入端側の一側面が挿入規制壁５１に当接し若しくは近接した挿入完了位置まで挿入されると、スライダ３５もディスクカートリッジ１により押圧されてホルダ２１内方の図９中矢印Ｋ方向に移動される。スライダ３５がホルダ２１の内方に移動されることにより、回動操作部５９上に乗り上げていたロックピン５６がロックレバー５４に設けた係合凹部５５上に至るとともにロックレバー５４がねじりコイルバネ５７の付勢力を受けて図７中矢印Ｇ方向に回動され、図１０に示すように、ロックピン５６が係合凹部５５に係合する。ロックピン５６が係合凹部５５に係合されることにより、スライダ３５はロックレバー５４にロックされ、引っ張りバネ４９による移動が規制され、ディスクカートリッジ１のホルダ２１に対する挿入完了位置に保持される。
【００４７】
ディスクカートリッジ１がホルダ２１に対する挿入完了位置まで挿入され、スライダ３５がロックレバー５４にロックされる位置まで移動されると、図１１に示すように、弾性変位部材４８の係合部材４７が取り付けられた部分が規制壁５１に対向し、弾性変位部材４８の図１１中Ｆ方向の弾性変位が規制され係合部材４７の係合凹部１６からの離脱が規制される。このとき、弾性変位部材４８が取り付けられたスライダ３５はロックレバー５４にロックされ移動が規制され、弾性変位部材４８が規制壁５１により係合部材４７を係合凹部１６から離脱させる方向の弾性変位が規制された状態におかれ、係合部材４７の係合凹部１６に対する係合状態が確実に保持されることにより、ディスクカートリッジ１はホルダ２１に対する挿入完了位置に確実に保持される。
【００４８】
本例のホルダ２１には、第２の側壁２４側にカートリッジ押圧部３３が設けられ、このカートリッジ押圧部３３によりディスクカートリッジ１を第１の側壁２３側に押圧するようにしていているので、係合部材４７と係合凹部１６との相対係合状態が一層確実に保持される。
【００４９】
ディスクカートリッジ１がホルダ２１に対する挿入完了位置まで挿入されると、シャッタ部材１０がシャッタ開放操作片２９により押圧され、図１１に示すように、記録及び／又は再生用の開口部６，７を開放にした位置に移動される。ディスクカートリッジ１がホルダ２１に対する挿入完了位置に挿入され、記録及び／又は再生用の開口部６，７が開放されることにより、これら開口部６，７を介して記録及び／又は再生手段がカートリッジ本体４内のディスク５に対向し、ディスク５に対する情報信号の記録及び／又は再生が可能な状態となる。
【００５０】
ホルダ２１に挿入保持されたディスクカートリッジ１を排出するには、回動操作片６０を押圧操作してロックレバー５４をねじりコイルバネ５７の付勢力に抗して図１０中矢印Ｈ方向に回動させる。
【００５１】
回動操作片６０を押圧操作してロックレバー５４を回動操作する操作は、例えば本発明に係るホルダ装置がディスク記録及び／又は再生装置に取り付けられた場合には、装置側に設けられるイジェクト機構を構成するイジェクトレバーにより回動操作片６０を押圧操作することによって行われる。
【００５２】
ロックレバー５４がねじりコイルバネ５７の付勢力に抗して図１０中矢印Ｈ方向に回動されるとロックピン５６の係合凹部５５に対する係合が解除され、スライダ３５のロックレバー５４によるロックが解除される。ロックレバー５４によるロックが解除されると、スライダ３５が引っ張りバネ４９の付勢力を受けてカートリッジ挿脱口２６側の図１１中矢印Ｃ方向に移動される。スライダ３５が図１１中矢印Ｃ方向に移動されると、ホルダ２１に対する挿入完了位置に保持されたディスクカートリッジ１は、スライダ３５の押圧操作部３６により押圧され、スライダ３５とともにカートリッジ挿脱口２６側の図１１中矢印Ｌ方向に移動される。
【００５３】
スライダ３５が引っ張りバネ４９の付勢力を受けて図１１中矢印Ｃ方向に移動されると、図８に示すように、弾性変位部材４８の係合部材４７を取り付けた先端側が規制壁５１に対向する位置から外れる。弾性変位部材４８の規制壁５１による弾性変位が規制された状態が解除されると、カートリッジ挿脱口２６側に移動するディスクカートリッジ１により係合部材４７が押圧され、弾性変位部材４８が図８中矢印Ｆ方向に弾性変位可能な状態となる。
【００５４】
スライダ３５が引っ張りバネ４９の付勢力を受け、図８中矢印Ｃ方向のカートリッジ挿脱口２６側に移動され、スライドガイド孔３９，４０が係合するスライドガイドピン４３，４４により移動が規制された初期位置まで移動されると、図８に示すように、押圧操作部３６により押圧されたディスクカートリッジ１の一部がカートリッジ挿脱口２６を介して突出する。カートリッジ挿脱口２６から突出した部分を把持してディスクカートリッジ１をホルダ２１から図８中矢印Ｌ方向に引き出すと、係合部材４７がカートリッジ本体４によって押圧され、弾性変位部材４８が図８中矢印Ｆ方向のホルダ２１の外方に弾性変位され、係合部材４７の係合凹部１６への係合が解除され、ディスクカートリッジ１のホルダ２１からの引き出しが行われる。
【００５５】
ディスクカートリッジ１がホルダ２１から引き出されるとき、シャッタ部材１０はシャッタ係止部材３０により移動が規制された状態にあるので、ホルダ２１から引き出されるカセット本体４に対し相対移動され、記録及び／又は再生用の開口部６，７を閉塞する図８中矢印Ｂ方向に移動される。ディスクカートリッジ１がホルダ２１の途中まで引き出されると、シャッタ部材１０は図６に示すように開口部６，７を完全に閉塞した位置に移動され、カートリッジ本体４内に設けたシャッタロック部材にロックされる。
【００５６】
上述したスライダ３５は、スライドガイド支持片４２を設け、スライドガイド片３７の一側にスライドレバー３８を設け、このスライドレバー３８をホルダ２１に設けたスライドが支持片４２に移動可能に支持するようにしているが、スライドレバー３８を設けることなく、スライドガイド片３７をホルダ２１の第１の側壁２３に移動可能に支持するようにしてもよい。この場合には、スライドガイド片３７にスライドガイド孔を設け、第１の側壁２３側にスライドガイド孔が係合するスライドガイドピンを設けるようにする。
【００５７】
また、本発明に係るホルダ装置は、上述したようなシャッタ部材１０の移動方向と平行な方向を挿入方向とするディスクカートリッジ１のみならず、シャッタ部材が取り付けられた前面側を挿入端として挿入が行われるディスクカートリッジを用いるものにも適用できる。この場合には、ディスクカートリッジのシャッタ部材が取り付けれた挿入端に対向してシャッタ開閉機構が設けられる。
【００５８】
【発明の効果】
上述したように、本発明に係るディスクカートリッジのホルダ装置は、ホルダに挿入されるディスクカートリッジによって移動されるスライダに、ディスクカートリッジに設けられた係合凹部と係合する係合突部が設けられた弾性変位部材を設け、ディスクカートリッジがホルダに対する挿入完了位置まで挿入されたとき、ディスクカートリッジの係合凹部に係合する係合突部の係合凹部からの離脱方向の移動を規制部によって規制するようにしているので、機構の簡素化を図りながら確実にディスクカートリッジの保持及び排出を行うことができ、装置自体の薄型化を図ることができる。
【図面の簡単な説明】
【図１】本発明に係るホルダ装置に挿脱されるディスクカートリッジを上面側から見た斜視図である。
【図２】上記ディスクカートリッジを下面側から見た斜視図である。
【図３】本発明に係るホルダ装置を上面側から見た斜視図である。
【図４】本発明に係るホルダ装置を上面側から見た斜視図である。
【図５】本発明に係るホルダ装置を構成するスライダを示す斜視図である。
【図６】ホルダにディスクカートリッジを挿入する状態を示す底面図である。
【図７】本発明に係るホルダ装置の側面図である。
【図８】ホルダにディスクカートリッジを挿入し、係合部材がディスクカートリッジの係合凹部に係合する状態を示す底面図である。
【図９】係合部材が取り付けられた弾性変位部材の弾性変位が規制される状態を示す部分底面図である。
【図１０】スライダががロックレバーにロックされた状態を示すホルダ装置の側面図である。
【図１１】ディスクカートリッジがホルダの挿入完了位置に挿入された状態を示す底面図である。
【符号の説明】
１  ディスクカートリッジ、  ４  カートリッジ本体、  １０  シャッタ部材、１６  ディスクカートリッジの係合凹部、  ２１  ホルダ、  ２６  カートリッジ挿脱口、  ３５  スライダ、  ３６  押圧操作部、  ４７  係合部材、  ４８  弾性変位部材、  ４９  引っ張りバネ、  ５１  規制壁、  ５４  ロックレバー、  ５５  係合凹部、  ５６  ロックピン。
【図１】
0004462656.tif 000002
【図２】
0004462656.tif 000003
【図３】
0004462656.tif 000004
【図４】
0004462656.tif 000005
【図５】
0004462656.tif 000006
【図６】
0004462656.tif 000007
【図７】
0004462656.tif 000008
【図８】
0004462656.tif 000009
【図９】
0004462656.tif 000010
【図１０】
0004462656.tif 000011
【図１１】
0004462656.tif 000012